Podtech/llm-jp-corpus-v4-ja_patent huggingface dataset:
(57)【要約】      （修正有）【課題】歯間の間を移動する際、抵抗が大きく、時には、力を入れすぎて歯茎に損傷を与えない等、使用勝手が良好な歯間ブラシを提供する。【解決手段】歯間ブラシＢは、長手方向に長い本体部１と、この本体部１の前記長手方向の中途部に設けられた手で把持する把持部１１と、本体部１の一方側に設けられた複数のブラシ２とを備え、複数のブラシ２は、それぞれ長手方向に長く形成され、複数のブラシ２は、本体部１の長手方向に交差するように取り付けられ、隣接する一方のブラシと隣接する他方のブラシとのなす角度が鋭角である。【選択図】図１
2020014494.tif 000002
【特許請求の範囲】
【請求項１】
長手方向に長い本体部と、
この本体部の前記長手方向の中途部に設けられた手で把持する把持部と、
前記本体部の一方側に設けられた複数のブラシとを備え、
前記複数のブラシは、それぞれ長手方向に長く形成され、
前記複数のブラシは、前記本体部の長手方向に交差するように取り付けられ、
隣接する一方のブラシと隣接する他方のブラシとのなす角度が鋭角である
ことを特徴とする歯間ブラシ。
【請求項２】
把持部は、本体部の長手方向に交差する方向に張り出している
ことを特徴とする請求項１記載の歯間ブラシ。
【請求項３】
把持部は、本体部の中途部に薄肉に形成されている
ことを特徴とする請求項１又は請求項２記載の歯間ブラシ。
【発明の詳細な説明】
【技術分野】
【０００１】
本発明は、歯間ブラシに係り、特に、使用勝手が良好な歯間ブラシに関する。
【背景技術】
【０００２】
歯ブラシでは磨ききれない歯と歯の隙間の汚れに対して効適な歯間ブラシがある（特許文献１  図６乃至図８参照）。
【先行技術文献】
【特許文献】
【０００３】
【特許文献１】実用新案登録第３２１３５７８号公報
【発明の概要】
【発明が解決しようとする課題】
【０００４】
上記歯間ブラシの複数のブラシは、本体の長手方向に直角に交差するように取り付けられ、隣接する一方のブラシと隣接する他方のブラシとのなす角度が直角であるため、歯間の間を移動する際、抵抗が大きく、時には、力を入れすぎて歯茎に損傷を与える等使用しづらいという問題点が生じた。
【０００５】
本発明は、上記の問題点を考慮してなされた歯間ブラシを提供することにある。
【課題を解決するための手段】
【０００６】
請求項１記載の歯間ブラシは、長手方向に長い本体部と、この本体部の前記長手方向の中途部に設けられた手で把持する把持部と、前記本体部の一方側に設けられた複数のブラシとを備え、前記複数のブラシは、それぞれ長手方向に長く形成され、前記複数のブラシは、前記本体部の長手方向に交差するように取り付けられ、隣接する一方のブラシと隣接する他方のブラシとのなす角度が鋭角である。
【０００７】
また、請求項２記載の歯間ブラシは、請求項１記載の歯間ブラシにおいて、把持部は、本体部の長手方向に交差する方向に張り出しているものである。
【０００８】
また、請求項３記載の歯間ブラシは、請求項１又は請求項２記載の歯間ブラシにおいて、把持部は、本体部の中途部に薄肉に形成されているものである。
【発明の効果】
【０００９】
請求項１記載の歯間ブラシによれば、複数のブラシは、本体部の長手方向に交差するように取り付けられ、隣接する一方のブラシと隣接する他方のブラシとのなす角度が鋭角であるため、隣接する一方のブラシと隣接する他方のブラシとのなす角度が直角のものに比べ、歯間の間を移動する際、抵抗が少なく、しかも、歯間の汚れを取り易い等使用勝手が良好となるものである。
【００１０】
また、請求項２記載の歯間ブラシによれば、上述の請求項１記載の発明の効果に加え、把持部は、本体部の長手方向に交差する方向に張り出しているため、手でつまみ易く、しかも、手で確実に把持することができる。
【００１１】
また、請求項３記載の歯間ブラシによれば、把持部は、本体部の中途部に薄肉に形成されているため、手でつまみ易く、しかも、手で確実に把持することができる。
【図面の簡単な説明】
【００１２】
【図１】図１は、本発明の一実施例の歯間ブラシの概略的斜視図である。
【図２】図２は、図１の一方の端部側のブラシ部分を拡大して示す概略的一部拡大斜視図である。
【図３】図３は、図１の他方の端部側の爪楊枝部分を拡大して示す概略的一部拡大斜視図である。
【図４】図４は、図１の概略的右側面図である。
【発明を実施するための形態】
【００１３】
本発明の一実施例の歯間ブラシを図１乃至図４を参照して説明する。
【００１４】
図１に示すＢは歯間ブラシで、歯間ブラシＢは、長手方向に長い本体部１と、この本体部１の一方側に設けられた複数のブラシ２と、本体部１の他方側に設けられた爪楊枝３とを備えている。
なお、本体部１の他方側の爪楊枝３は、先端に向かうほど先細りになっていると共に、先細りとなった本体部１の外周面に凸形状の円周部３１を間隔を設けて複数形成している。
【００１５】
複数のブラシ２は、それぞれ長手方向に長く形成され、複数のブラシ２は、本体部１の長手方向に交差するように取り付けられ、隣接する一方のブラシ２（２１）と隣接する他方のブラシ２（２２）とのなす角度が鋭角（例えば、１０度）となっている。
【００１６】
本体部１の長手方向の中途部に薄肉の手で把持する把持部１１が設けられている。この把持部１１は、本体部１の長手方向に交差（例えば、直交）する方向に張り出している。
そのため、手でつまみ易く、しかも、手で確実に把持することができる。
【００１７】
従って、上述した歯間ブラシＢによれば、複数のブラシ２は、本体部１の長手方向に交差するように取り付けられ、隣接する一方のブラシ２（２１）と隣接する他方のブラシ２（２２）とのなす角度が鋭角であるため、従来の隣接する一方のブラシと隣接する他方のブラシとのなす角度が直角のものに比べ、歯間の間を移動する際、抵抗が少なく、しかも、歯間の汚れを取り易い等使用勝手が良好となるものである。
【符号の説明】
【００１８】
Ｂ      歯間ブラシ
１      本体部
２      ブラシ
１１    把持部
２１    一方のブラシ
２２    他方のブラシ
【図１】
2020014494.tif 000003
【図２】
2020014494.tif 000004
【図３】
2020014494.tif 000005
【図４】
2020014494.tif 000006